(57)【特許請求の範囲】
【請求項１】
使用者の手の動作により流体を吐出する流体吐出器のヘッド部に配設される適正時間
通知装置であって、
ヘッド部に使用者の手の動作が加えられたことを検出する第１検出手段と、
ヘッド部に使用者の手の動作が加えられなくなったことを検出する第２検出手段と、
使用者に、流体を使用する手の動作の開始を知らせる第１情報表示・通知手段と、
使用者に、流体を使用する手の動作の終了のときを知らせる第２情報表示・通知手段と
、
第１検出手段より信号を受け、次の信号を受けるための待機状態とし、第２検出手段よ
り信号を受け、使用者に流体を使用する手の動作の開始を知らせる信号を第１情報表示・
通知手段に出し、使用者の流体を使用する手の動作に適する時間をカウントした後に、流
体を使用する手の動作の終了のときを知らせる信号を第２情報表示・通知手段に出す制御
・処理手段と
を備える、適正時間通知装置。
【請求項２】
前記第１検出手段及び第２検出手段は、適正時間通知装置の本体に設けられるセンサー
により使用者の手の動作が加えられたこと又は使用者の手の動作が加えられなくなったこ
とを検出されるように構成された、請求項１に記載の適正時間装置。
【請求項３】
使用者の手の動作により流体を吐出する流体吐出器のヘッド部より一回り大きな外形を
備えた、平たい板状体であって、
その頂部に、使用者が手でヘッド部を押下するための押圧部を備え、その下部に、ヘッ
ド部の吐き出し口以外の領域において、ヘッド部の外周に嵌合される爪部を有する取り付
け部を備え、
ヘッド部の上部に、その下部を対向させて着脱自在に取り付けられるように構成された
、請求項１又は２に記載の適正時間通知装置。
【請求項４】
情報表示・通知手段は、点灯、点滅、点灯色により表示・通知するＬＥＤ  および／または、音声により通知するスピーカー部を備えた、請求項１ないし３のいずれかに記載の適正時間通知装置。
【発明の詳細な説明】
【技術分野】
【０００１】
本発明は、適正時間通知装置に関し、特に、例えば、人の手に付着したウイルスや細菌などの除菌に必要な手洗い時間を使用者に知らせることができる、手洗い、消毒用の適正時間通知装置に関する。
【０００２】
現在ウイルス感染症が多発しており、あらゆる箇所に触れる手指は、感染症の原因となるウイルス・菌を伝播する主要な経路であり、感染症の予防対策として除菌のための手洗いを励行することが、求められている。
手洗いによる除菌効果は、手洗い時間に依存し、30秒以上、水と石鹸による手洗いをした場合、手に付着した菌がほとんど取り除かれるとの報告がなされており、感染症予防のために、手洗いを励行することを勧められている。
感染症予防のために、手洗いを励行することを勧められているが、感染症が予防できるとされる30秒以上の手洗いを励行する者の割合は少ない。
そこで、手洗い場所に、除菌に必要な手洗い時間を計測させるタイマー装置や手洗い方法を表示する装置が、提案されている。
【先行技術文献】
【特許文献】
【０００３】
【特許文献１】実用新案登録第3130316号公報
【特許文献２】実用新案登録第3133257号公報
【特許文献３】特開2020-651号公報
【特許文献４】特開2019-219554号公報
【発明の概要】
【発明が解決しようとする課題】
【０００４】
しかしながら、これらの装置は大がかりで、全ての手洗い場所に設置することは、極めて困難である。
手洗い用ディスペンサーや消毒用ディスペンサーが設置された場所に、適正時間を通知する装置が設けられていると、極めて便利である。
この発明の主たる目的は、手洗い用・消毒用のディスペンサーに付加させて、使用者がディスペンサーの流体吐出機構のポンプヘッド部を押したときに、手洗いなどの流体を使用する手の動作をする適正時間を通知するように構成された適正時間通知装置を提供することである。
【課題を解決するための手段】
【０００５】
この発明の請求項１にかかる適正時間通知装置は、使用者の手の動作により流体を吐出する流体吐出器のヘッド部に配設される適正時間通知装置であって、ヘッド部に使用者の手の動作が加えられたことを検出する第１検出手段と、ヘッド部に使用者の手の動作が加えられなくなったことを検出する第２検出手段と、使用者に、流体を使用する手の動作の開始を知らせる第１情報表示・通知手段と、使用者に、流体を使用する手の動作の終了のときを知らせる第２情報表示・通知手段と、第１検出手段より信号を受け、次の信号を受けるための待機状態とし、第２検出手段より信号を受け、使用者に流体を使用する手の動作の開始を知らせる信号を第１情報表示・通知手段に出し、使用者の流体を使用する手の動作に適する時間をカウントした後に、流体を使用する手の動作の終了のときを知らせる信号を第２情報表示・通知手段に出す制御・処理手段とを備える、適正時間通知装置である。
この発明の請求項２にかかる適正時間通知装置は、前記第１検出手段及び第２検出手段は、適正時間通知装置の本体に設けられるセンサーにより使用者の手の動作が加えられたこと又は使用者の手の動作が加えられなくなったことを検出されるように構成された、請求項１に記載の適正時間通知装置である。
この発明の請求項３にかかる適正時間通知装置は、使用者の手の動作により流体を吐出する流体吐出器のヘッド部より一回り大きな外形を備えた、平たい板状体であって、その頂部に、使用者が手でヘッド部を押下するための押圧部を備え、その下部に、ヘッド部の吐き出し口以外の領域において、ヘッド部の外周に嵌合される爪部を有する取り付け部を備え、ヘッド部の上部に、その下部を対向させて着脱自在に取り付けられるように構成された、請求項１又は２に記載の適正時間通知装置である。
この発明の請求項４にかかる適正時間通知装置は、情報表示・通知手段は、点灯、点滅、点灯色により表示・通知するＬＥＤおよび／または、音声により通知するスピーカー部を備えた、請求項１ないし３のいずれかに記載の適正時間通知装置である。
【発明の効果】
【０００６】
本発明によれば、手洗い用・消毒用等ディスペンサー等に付加させて、使用者がディスペンサーの流体吐出機構のポンプヘッド部を押したときに、手洗い・消毒などの流体を使用する手の動作をする適正時間を通知するように構成された適正時間通知装置及びそれが取り付けられたディスペンサーを提供することができる。
【０００７】
この発明の上述の目的、その他の目的、特徴及び利点は、図面を参照して行う以下の発明を実施するための形態の説明から一層明らかとなろう。
【図面の簡単な説明】
【０００８】
【図１】本発明の一実施の形態である手洗い・消毒用ディスペンサーに付加する適正時間通知装置の斜視図解図である。
【図２】図１図示適正時間通知装置の側面図解図である。
【図３】図１図示適正時間通知装置の図解図であり、（Ａ）は平面図解図であり、（Ｂ）は断面図解図である。
【図４】図１図示適正時間通知装置の底面図解図である。
【図５】本発明に係る適正時間通知装置の適正時間通知システムの概略的な構成を示す構成図である。
【図６】使用者の手洗い作業を補助する動作の流れを示す図解図である。
【図７】図１図示適正時間通知装置を付加するディスペンサーの一例である、プッシュ式洗剤ボトルの正面図解図である。
【図８】図１図示の実施の形態の変形例である適正時間通知装置の図解図であり、（Ａ）は平面図解図であり、（Ｂ）は底面図解図であり、（Ｃ）は正面図解図であり、（Ｄ）は断面図解図である。
【図９】図１図示の実施の形態の変形例である適正時間通知装置をディスペンサーのポンプヘッド部に取り付けた状態を示す図解図であり、（Ａ）は平面図解図であり、（Ｂ）は正面図解図である。
【発明を実施するための形態】
【０００９】
本実施の形態に係る適正時間通知装置１０を付加するディスペンサー２００を構成する流体の一種の液体の吐出容器は、流体の一種の液体を収容する容器本体２２０に取り付けられた流体吐出機構２１０を構成するポンプヘッド部２３０を備えており、流体吐出機構２１０を構成するプッシュ形状のポンプヘッド部２３０を使用者が押圧する操作に対応して、容器本体２２０に収容された液体を泡化して又は液状のまま吐出する容器である。
【００１０】
本実施形態において、下方向（下方）は、流体吐出機構２１０（ポンプヘッド部２３０）からみて、容器本体２２０に向かう方向であり、その逆方向が、上方向（上方）である。つまり、下方向（下方）は、ディスペンサー２００（液体吐出容器）の底部分が、水平な載置面に置かれて、ディスペンサー２００（液体吐出容器）が、自立する状態での重力方向である。
【００１１】
本実施形態においては、流体の一例である液体としては、洗浄剤、ハンドソープ、消毒薬、除菌剤が代表例として挙げられる。しかしながら、流体は、これに限らない。例えば、洗顔料、クレンジング剤、食器用洗剤、整髪料、ボディソープ、髭剃り用クリーム、ファンデーションなどの肌用化粧料、染毛剤等、泡状や液状で用いられる種々の液体を例として挙げることができる。
流体を使用する手の動作としては、手を手または物と触れ合わせる動作、例えば、手洗い、洗髪、歯磨き等の手の動作、又は手の汚れを取り除く動作、例えば、洗浄、除菌、消毒等の手の動作が含まれる。
本明細書において、これらの手の流体を使用する動作を、便宜上、「手洗い」ということがある。
【００１２】
第１検出手段１２及び第２検出手段１４を構成するセンサーは、指で触れるだけで動作するセンサーであり、押す力がほとんどいらないものを言う。センサーには、タッチセンサー、スイッチが含まれる。
スイッチには、ボタンを押している間だけON状態になるモーメンタリ式プッシュスイッチ（自己復帰タイプ）や、ボタンを押した後に手を離してもON状態を保持するオルタネート式プッシュスイッチ（自己保持タイプ）がある。
【００１３】
適正時間通知装置１０は、使用者の手の動作により流体を吐出するディスペンサー２００の流体を吐出されるために手が触れる流体吐出機構２１０に配設される適正時間通知装置である。
【００１４】
適正時間通知装置１０は、
ディスペンサー２００の一種である液体吐出容器の流体を吐出する流体吐出機構２１０を構成するポンプヘッド部２３０に使用者の手の動作が加えられたことを検出する、第１検出手段１２と、
ポンプヘッド部２３０に使用者の手の動作が加えられなくなったことを検出する第２検出手段１４と、
使用者に、流体を使用する手の動作、例えば手を手又は物と触れ合わせる動作（手洗い、洗顔、歯磨き等）又は手の汚れを取り除く動作（洗浄・除菌・消毒等）の開始を知らせる第１情報表示・通知手段１８と、
使用者に、流体を使用する手の動作、例えば手を手又は物と触れ合わせる動作（手洗い、洗顔、歯磨き等）又は手の汚れを取り除く動作（洗浄・除菌・消毒等）の終了のときを知らせる第２情報表示・通知手段２０と、
第１検出手段１２より信号を受け、次の信号を受けるための待機状態とし、第２検出手段１４より信号を受け、使用者に流体を使用する手の動作、例えば手を手又は物と触れ合わせる動作又は手の汚れを取り除く動作の開始を判定し、その開始を知らせる信号を第１情報表示・通知手段１８に出し、流体を使用する手の動作、例えば使用者の手を手又は物と触れ合わせる動作又は手の汚れを取り除く動作に適する時間をカウントした後に、手を手又は物と触れ合わせる動作又は手の汚れを取り除く動作の終了のときを知らせる信号を第２情報表示・通知手段２０に出す制御・処理手段１６と
を備える。
【００１５】
この適正時間通知装置１０は、流体吐出機構２１０に、使用者の手の動作が加えられたときに、電源をオンにし、
制御・処理手段１６により、流体を使用する手の動作、例えば使用者の手洗い等の手と手又は物と触れ合わせる動作又は洗浄・除菌・消毒等の手の汚れを取り除く動作（本明細書において、これらの手の流体を使用する動作を、便宜上、「手洗い」という）に適する時間を、カウントした後に、電源をオフにするように、構成されている。
【００１６】
第１検出手段１２は、押圧されたことを検出することができるタッチセンサーなどで構成される。
第２検出手段１４は、押圧していた圧力が除力されたことを検出する、タッチセンサー等で構成される。
この実施の形態においては、第１検出手段１２及び第２検出手段１４は、ひとつの圧力センサーなどにより、兼務される。
第１検出手段１２及び第２検出手段１４を構成するタッチセンサーは、指で触れるだけで動作するセンサーであり、押す力がほとんどいらないものを言う。タッチセンサーには、スイッチも含まれる。
スイッチには、ボタンを押している間だけＯＮ状態になるモーメンタリ式プッシュスイッチ（自己復帰タイプ）や、ボタンを押した後に手を離してもＯＮ状態を保持するオルタネート式プッシュスイッチ（自己保持タイプ）がある。
前記第１検出手段１２及び第２検出手段１４は、適正時間通知装置の本体２２の上面、または下面に設けられるタッチセンサーにより使用者の手の動作が加えられたこと又は使用者の手の動作が加えられなくなったときの圧力を検出される。
【００１７】
制御・処理手段１６は、ＣＰＵなどのプロセッサー、ＲＡＭやＲＯＭなどのメモリー、時間を計時するタイマー回路などを、備えたコンピューターによって、構成されている。
制御・処理手段１６は、メモリーに記憶された制御プログラムをプロセッサーに実行させることによって、適正時間通知装置１０の動作を制御する。
【００１８】
第１情報表示・通知手段１８及び第２情報表示・通知手段２０は、制御・処理手段１６から送られてくる信号に基づいて、減算している動作を使用者に知らせる赤色LED等でなる、インジケータランプ３０などで構成される。
第１情報表示・通知手段１８及び第２情報表示・通知手段２０は、制御・処理手段１６から送られてくる手洗いの方法、手洗い時間等を使用者に音声電子音によって知らせるスピーカー部３２等で構成される。
【００１９】
第２情報表示・通知手段２０は、使用者が目視できるように通知装置本体２２の上部に設けられた青色ＬＥＤなどからなるインジケータランプ３４と、使用者が聞くことができるように通知装置本体２２の下部に設けられたスピーカー部３６とを備えている。
【００２０】
適正時間通知装置１０は、ポンプヘッド部２３０に被せて取り付けることができる大きさを備えた通知装置本体２２に、第１検出手段１２、第２検出手段１４、制御・処理手段１６、第１情報表示・通知手段１８及び第２情報表示・通知手段２０を構成するデバイスを組み込み、各デバイスが電気的に接続されて適正時間通知装置１０の動作を制御するように構成されている。
【００２１】
制御・処理手段１６は、使用者による手洗いに必要な継続的な時間または分散された時間をカウントし、使用者の手洗いに適する時間をカウントした後に使用者に通知する信号を出した後、電源をオフするように構成されている。
【００２２】
制御・処理手段１６は、記憶部と、演算部と、Ｉ/Ｏ部と、設定部と、表示部とを備えている。
設定部は、外部操作により、ポンプの吐出流量、吐出時間の関係を示す各種設定値を、設定するために使用される。
記憶部は、ＲＡＭ、ＲＯＭなどのメモリーが使用される。記憶部には、制御フローチャートで示す制御プログラムや各種のデータ、例えば、演算部における演算結果のデータなどが格納される。
Ｉ/Ｏ部としては、ポートなどが使用される。Ｉ/Ｏ部は、第１検出手段１２を構成する圧力センサー等からの信号を受け入れて、演算部に送る。
演算部としてはＣＰＵが使用される。演算部は、記憶部に格納されているプログラム及び各種データ並びにＩ/Ｏ部から入力される信号に基づいて、時間の計測、積算の演算、通信データの処理、吐出量及び吐出時間の演算、などを行う。演算部からの出力は、Ｉ/Ｏ部に入力される。
【００２３】
制御・処理手段１６は、洗浄液による手洗い時間（３０秒）又は消毒用アルコールによる手洗い時間（６０秒）などを、ＲＡＭやＲＯＭなどのメモリーに記憶しておき、ポンプヘッド部２３０に取り付けられた適正時間通知装置１０の通知装置本体２２を押圧していた押圧力を除圧されたとき、時間を計時するタイマー回路などにより、所定の時間を、カウントし始める。
制御・処理手段１６は、ディスペンサー２００の流体吐出機構２１０を構成するポンプヘッド部２３０に取り付けられた適正時間通知装置１０の通知装置本体２２に使用者が手の動作を加えたとき、第１検出手段１２により使用者が手の動作を加えたことを検出し、次の信号を受けるための待機状態とし、その待機状態の間に、ディスペンサー２００の容器本体２２０に貯められた流体をポンプヘッド部２３０の吐き出し口２３８により吐出する。
その後使用者が通知装置本体２２より手を離したとき、第２検出手段１４からの信号により、使用者の手の動作が通知装置本体２２に加えられなくなったと判定し、手の手洗い動作を開始したことを確認したときから、前記した所定の時間のカウントを始める。
制御・処理手段１６は、第１検出手段１２より信号を受け、次の信号を受けるための待機状態とし、第２検出手段１４より信号を受け、使用者に手を手又は物と触れ合わせる動作又は手の汚れを取り除く動作の開始を知らせる信号を第１情報表示・通知手段１８に出し、使用者の手を手又は物と触れ合わせる動作又は手の汚れを取り除く動作に適する時間をカウントした後に、手を手又は物と触れ合わせる動作又は手の汚れを取り除く動作の終了のときを知らせる信号を第２情報表示・通知手段２０に出す。
【００２４】
この実施の形態においては、適正時間通知装置１０の通知装置本体２２を使用者の手で押したとき、第１検出手段１２により使用者が手の動作をポンプヘッド部２３０に加えたことを検出し、ポンプヘッド部２３０が押し下げられたことにより、ポンプヘッド部２３０のポンプ部２３２から洗浄剤の液体が手に吹き出され、その後使用者が通知装置本体２２より手を離したとき、第２検出手段１４により、使用者の手の動作がポンプヘッド部２３０に加えられなくなったとことを検出し、制御・処理手段１６は、第２検出手段１４からの信号を受けて使用者がポンプヘッド部２３０の吐き出し口２３８から手に吹き出された洗浄剤等の液体により手の手洗い動作を開始したと判断し、そのときから、カウントを始める。
【００２５】
制御・処理手段１６は、前記カウントし始めたとき、第１情報表示・通知手段１８を構成するインジケータランプ３０（赤色ＬＥＤ）に、表示するための信号を送り、手洗い時間(消毒時間)中、第１情報表示・通知手段１８を構成するインジケータランプ３０（赤色ＬＥＤ）が点灯するように制御する。
更に、制御・処理手段１６は、前記カウントし始めたとき、第１情報・表示手段１８を構成するスピーカー部３２に手洗い方法などを発声するための音声発信信号を送るように、制御する。
第１情報表示・通知手段１８は、制御・処理手段１６よりの信号を受けて、手洗いに適する時間をカウントしている間、第１情報表示・通知手段１８を構成するインジケータランプ３０（赤色 ＬＥＤ）を、ゆっくり点滅させる。
第１情報表示・通知手段１８は、制御・処理手段１６よりの信号を受けて、第１情報表示・通知手段１８を構成するスピーカー部３２より手洗いを促す音声を出す。
【００２６】
制御・処理手段１６は、適正時間をカウントした後、第２情報表示・通知手段２０に手洗いの終了のときを知らせる信号を出す。
第２情報表示・通知手段２０は、制御・処理手段１６よりの信号を受けて、第２情報表示・通知手段２０を構成するインジケータランプ３４（青色ＬＥＤ）をゆっくり点灯させる。
第２情報表示・通知手段２０は、制御・処理手段１６よりの信号を受けて、第２情報表示・通知手段２０を構成するスピーカー部３６より、手洗いの終了を知らせる音声をだす。
そして、制御・処理手段１６は、手洗いや消毒に必要な時間を経過したことを確認した後、電源をオフするように制御する。
【００２７】
第１検出手段１２、第２検出手段１４、制御・処理手段１６、第１情報表示・通知手段１８及び第２情報表示・通知手段２０を構成するデバイスに電力を供給する電源となるボタン電池は、適正時間通知装置１０の外殻を構成するケース本体４０の下部に設けられた電池収容部４２に収容される。電池収容部４２は、絶縁シートなどを有する蓋によって、閉塞される。
【００２８】
適正時間通知装置１０は、使用者の手の動作により流体を吐出するディスペンサー２００の流体を吐出する流体吐出機構２１０を構成するプッシュボタン形状のポンプヘッド部２３０より一回り大きな外形を備えた、平たい板状体である通知装置本体２２をもって形成されている。
通知装置本体２２の頂部に、使用者が手で、流体吐出機構２１０を構成するポンプヘッド部２３０を押すための押圧部２４を備えている。
通知装置本体２２の下部に、流体吐出機構２１０を構成するポンプヘッド部２３０の吐き出し口２３８以外の領域において、流体吐出機構２１０を構成するプッシュボタンの外周（側面）に嵌合される爪部を有する取り付け部２６を備えている。
通知装置本体２２は、ディスペンサー２００の流体吐出機構２１０を構成するポンプヘッド部２３０の上部に、その下部を対向させて着脱自在に取り付けられるように構成されている。
通知装置本体２２は、その中央に、ポンプヘッド部２３０を嵌装するためのヘッド嵌着部２２ａが穿ち設けられている。通知装置本体２２は、その前面に、ポンプヘッド部２３０の吐き出し口２３８を嵌装するための吐き出し口嵌装部２２ｂが穿ち設けられている。
この実施の形態においては、ヘッド嵌着部２２ａは、横断面円形状で、その前方において吐き出し口嵌装部２２ｂが隣接されており、通知装置本体２２は、吐き出し口２３８を含めて、ヘッド嵌着部２２ａをポンプヘッド部２３０に嵌着し、ポンプヘッド部２３０に被せて取り付けることができるように形成されている。
【００２９】
第１検出手段１２及び第２検出手段１４は、通知装置本体２２の上面または下面に設けられる、タッチセンサーなどを含むデバイスにより構成さる。この実施の形態においては、通知装置本体２２の押圧部２４の下部に前記デバイスが配設され、押圧部２４を手で押されたとき、制御・処理手段１６などに電気信号を送信するように構成されている。
【００３０】
第１情報表示・通知手段１８及び第２情報表示・通知手段２０は、点灯、点滅、点灯色により表示・通知するインジケータランプ３０及びインジケータランプ３４により構成されている。
インジケータランプ３０及びインジケータランプ３４は、赤色ＬＥＤまたは青色ＬＥＤを含むデバイスである。
インジケータランプ３０及びインジケータランプ３４は、人が見やすいように、通知装置本体２２の前面上部に配設されている。
また、第１情報表示・通知手段１８および第２情報表示・通知手段２０は、使用者の手洗いを促す言葉を発するスピーカー部３２及びスピーカー部３６により構成されている。
スピーカー部３２及びスピーカー部３６は、人が聞き取れる音量で音を発することができるように、通知装置本体２２の下部で周辺に音を遮るものがない位置に配設されている。
【００３１】
適正時間通知装置１０は、ディスペンサー２００の流体吐出機構２１０を構成するポンプヘッド部２３０に取り付けられたときにその自重により流体吐出機構２１０を構成するポンプヘッド部２３０を動かすことなく、且つ使用者が流体吐出機構２１０を構成するポンプヘッド部２３０を手で押す等手の動作を加えたときに流体吐出機構２１０を構成するポンプヘッド部２３０を動かす構造を備えている。
【００３２】
ディスペンサー２００は、流体を収容する収容部を備える容器本体２２０と、収容部を備える容器本体２２０に着脱自在に取り付けられた流体吐出機構２１０を構成するプッシュ形状のポンプヘッド部２３０とを備え、そのディスペンサー２００の流体吐出機構２１０を構成するポンプヘッド部２３０に適正時間通知装置１０が、取り付けられている。
【００３３】
流体吐出機構２１０は、容器本体２２０に取り付けられたポンプ部２３２と、ポンプ部２３２を構成するピストンガイド２３４と、ピストンガイド２３４の上端に取り付けられたポンプヘッド部２３０とを備えている。
【００３４】
ディスペンサー２００を構成する液体吐出容器は、流体を貯留する容器本体２２０と、押圧操作に応じて、流体を吐出する流体吐出機構２１０とを備え、流体吐出機構２１０は、ポンプヘッド部２３０を備えている。
【００３５】
ポンプヘッド部２３０は、ピストンガイド２３４の上端部に差し込み固定することで、ピストンガイド２３４によって保持されている。
ピストンガイド２３４は、コイルばね等の付勢部材を介して、ポンプ部２３２のケースによって支持されている。
ポンプヘッド部２３０に対して押圧操作が行われたとき、付勢部材の付勢に抗して、ポンプヘッド部２３０及びピストンガイド２３４は、一体的に、下降するように構成されている。ポンプヘッド部２３０の押圧操作は、適宜な下死点で、停止するように構成されている。
そして、ポンプヘッド部２３０に対する押圧操作が解除されると、ポンプヘッド部２３０及びピストンガイド２３４が、付勢部材の付勢に従って、上死点位置まで上昇するように構成されている。
【００３６】
ポンプヘッド部２３０は、平面視円形状の押圧部２３６と、前記押圧部２３６の前側に嘴状に突き出し設けられた吐き出し口２３８とを備えている。
【００３７】
（使用者の手洗い行為を補助する動作）
次に、適正時間通知装置による使用者の手洗い行為を補助する動作について、主として図６に基づいて説明する。
図６に示すように、先ず、適正時間通知装置１０が取り付けられたディスペンサーのポンプヘッド部２３０は、上死点位置に位置して、待機状態となっている（ステップＳ１）。
【００３８】
次に、使用者が、待機状態にある適正時間通知装置１０の通知装置本体２２を、例えば右手で、容器本体２２０に向けて押し下げる（ステップＳ２）。
このとき、第１検出手段１２は、使用者の手の押圧力が適正時間通知装置１０の流体吐出機構２１０のポンプヘッド部２３０に加えられたことを、検出する。
ポンプヘッド部２３０を、下死点において停止するまで押し下げると、容器本体２２０に収容された流体が、吐き出し口２３８より、例えば左手の手のひらに、吐き出される。
【００３９】
使用者が、流体が吐出されたことを確認して、ポンプヘッド部２３０に取り付けられた適正時間通知装置１０より押していた手を離し、ポンプヘッド部２３０に対する押圧操作を解除する（ステップ Ｓ３）。
このとき、第２検出手段１４は、ディスペンサー２００の液体を吐出する流体吐出機構２１０のポンプヘッド部２３０に、使用者の手の押圧力が加えられなくなったことを検出し、制御・処理手段１６に、使用者の手の押圧力が加えられなくなったことを検出した信号を送る。
制御・処理手段１６は、第２検出手段１４からの信号受け取ったときに、使用者が手洗いを開始したと、手洗い開始の判断する（ステップＳ４）。
【００４０】
制御・処理手段１６は、流体（洗浄液）による手洗い時間（３０秒）または流体（消毒用アルコール）による手洗い時間（６０秒）などの所定の時間を、タイマー回路などにより、カウントし始める（ステップＳ５）。
それと同時に、制御・処理手段１６は、前記カウントをし始めたとき、第１情報・表示手段１８を構成するインジケータランプ３０に、手洗いの開始を知らせる「赤色ＬＥＤをゆっくり点滅させる点滅信号」を発色させるための信号を送る(ステップ Ｓ５)。
それと同時に、制御・処理手段１６は、前記カウントをし始めたとき、第１情報・表示手段１８を構成するスピーカー部３２に、「よーいどん」という音声を、発声させるための信号を送る(ステップＳ５)。
【００４１】
制御・処理手段１６は、流体（洗浄液）による手洗い時間（３０秒）又は流体（消毒用アルコール）による手洗い時間（６０秒）などの所定の時間を待機する(ステップＳ６)。
待機中においては、制御・処理手段１６は、第１情報表示・通知手段１８を構成するインジケータランプ３０の赤色ＬＥＤがゆっくり点滅をするように、点灯信号を送る。
【００４２】
所定の時間を待機した後、制御・処理手段１６は、第１情報表示・通知手段１８を構成するスピーカー部３６に、「ゴール」という音声を発するための音声信号を送る（ステップＳ７）。
それと同時に、第２情報表示・通知手段２０を構成するインジケータランプ３４の青色ＬＥＤを３秒点灯させるための点灯信号を送る（ステップＳ７）。
【００４３】
流体（洗浄液）による手洗い時間（３０秒）又は流体（消毒用アルコール）による手洗い時間（６０秒）などの適正時間が経過したことを確認した後、制御・処理手段１６は、電源をオフする。
【００４４】
次に、本発明に係る適正時間通知装置の変形例について説明する。
図８及び９は、前記図１図示実施の形態の変形例である適正時間通知装置を示す図解図である。
図８は変形例である適正時間通知装置の図解図であり、Ａは平面図解図であり、Bは底面図解図であり、Cは正面図解図であり、Dは底面図解図である。
図９は、変形例である適正時間通知装置をディスペンサー２００のポンプヘッド部２３０に取り付けた状態を示す図解図であり、Ａは平面図解図であり、Ｂは正面図解図である。
【００４５】
この適正時間通知装置１０は、使用者の手の動作により流体を吐出するディスペンサー２００の流体を吐出する流体吐出機構２１０を構成するポンプヘッド部２３０より一回り大きな外形を備えた、平面視円形状の平たい板状体であって、
その頂部に、使用者が手で、ポンプヘッド部２３０を押すための押圧部２４を備え、
その下部に、ポンプヘッド部２３０の吐き出し口以外の領域において、ポンプヘッド部２３０の外周に嵌合される爪部を有する取り付け部２６を備え、
ディスペンサー２００のポンプヘッド部２３０の上部に、その下部を対向させて着脱自在に取り付けられるように構成されていることにおいては、同様な構成を備えている。
図１図示実施の形態の適正時間通知装置１０の通知装置本体２２は、ディスペンサー２００の流体吐出機構２１０を構成するポンプヘッド部２３０の高さとほぼ同じ高さを備え、取り付け部２６は、垂直方向に突出されていた。
この変形例である適正時間通知装置においては、適正時間通知装置本体２２は、ポンプヘッド部２３０の高さよりも高い高さを備え、ポンプヘッド部２３０に取り付ける取り付け部２６は、ポンプヘッド部２３０の下部に係止されるように、水平方向に突き出し設けられている。
【００４６】
この変形例である適正時間通知装置においては、通知装置本体２２に形成されたヘッド嵌着部２２ａの下端に、左右方向に突き出し設けられた取り付け部２６が形成されている。
左右方向に突き出し設けられた取り付け部２６は、ディスペンサー２００のポンプヘッド部２３０の下端に係止される。前記実施の形態においては、取り付け部２６がポンプヘッド部２３０の側面に係合したのとは異なる。
この変形例である適正時間通知装置は、ディスペンサー２００のポンプヘッド部２３０の異なった形状（図９図示）に対応して、装填することができる。
【００４７】
以上のように、本発明の実施の形態は、前記記載で開示されているが、本発明は、これに限定されるものではない。
すなわち、本発明の技術的思想及び目的の範囲から逸脱することなく、以上説明した実施の形態に対し、機序、形状、材質、数量、位置又は配置等に関して、様々の変更を加えることができるものであり、それらは、本発明に含まれるものである。
【符号の説明】
【００４８】
１０      適正時間通知装置
１２      第１検出手段
１４      第２検出手段
１６      制御・処理手段
１８      第１情報表示・通知手段
２０      第２情報表示・通知手段
２２      通知装置本体
２２ａ    ヘッド嵌着部
２２ｂ    吐き出し口嵌装部
２４      押圧部
２６      取り付け部
３０      インジケータランプ
３２      スピーカー部
３４      インジケータランプ
３６      スピーカー部
４２      電池収容部
２００    ディスペンサー
２１０    流体吐出機構
２２０    容器本体
２３０    ポンプヘッド部
２３２    ポンプ部
２３４    ピストンガイド
２３６    押圧部
２３８    吐き出し口
【要約】      （修正有）【課題】手洗い用・消毒用のディスペンサーに付加させて、使用者がディスペンサーの流体吐出機構のポンプヘッド部を押したときに、手洗いなどの流体を使用する手の動作をする適正時間を通知するように構成された適正時間通知装置及びそれが取り付けられたディスペンサーを提供する。【解決手段】適正時間通知装置１０は、使用者の手の動作により流体を吐出する流体吐出器のヘッド部に配設され、ヘッド部に使用者の手の動作が加えられたこと及び加えられなくなったことを検出する検出手段と、使用者に流体を使用する手の動作の開始及び終了のときを知らせる情報表示・通知手段と、使用者に流体を使用する手の動作の開始を知らせる信号を情報表示・通知手段に出し、使用者の流体を使用する手の動作に適する時間をカウントした後に、流体を使用する手の動作の終了のときを知らせる信号を情報表示・通知手段に出す制御・処理手段とを備える。【選択図】図１【図１】
0006937878.tif 000002
【図２】
0006937878.tif 000003
【図３】
0006937878.tif 000004
【図４】
0006937878.tif 000005
【図５】
0006937878.tif 000006
【図６】
0006937878.tif 000007
【図７】
0006937878.tif 000008
【図８】
0006937878.tif 000009
【図９】
0006937878.tif 000010